(57)【要約】押下げ回動タイプの内容物放出用操作部に対する不用意な操作を確実に阻止し、かつ、当該操作部のロックモード・ロック解除モード選択用のスライド操作および内容物放出用の押下げ操作の安定化，十全化を図る。ガイド部材２ａに、操作部１のスライド動作を案内するガイド部２ｋ，２ｎを設け、操作部１には、当該ガイド部にそれぞれ案内保持される被ガイド部１ｇ，１ｊと、内容物通路部３の駆動部１ｆとを設けた。操作部１が前方に位置するロックモードでは、ガイド部２ｋ，２ｎに被ガイド部１ｇ，１ｊがそれぞれ保持され、当該操作部の内容物放出操作は阻止される。操作部１を後方に移動させた図示のロック解除モードでは、この保持状態が解消される。そして、操作部１はその押下げ操作により被ガイド部１ｇを中心に回動し、駆動部１ｆが被駆動部３ｄを押し下げ、内容物通路部３およびステム４が内容物放出状態になる。
2015122229.tif 000002
【特許請求の範囲】
【請求項１】
押下げ回動タイプで内容物放出用の操作部のスライド動作により、内容物放出操作が阻止されるロックモードと、この阻止状態を解除して内容物放出操作が可能なロック解除モードとを選択できるようにした内容物放出操作ロック機構において、
前記操作部のスライド動作を案内するガイド部材と、
前記内容物放出操作により内容物が外部空間域へ流出する放出口を備えた通路部と、
前記内容物放出操作に基づく弁作用を呈し、かつ、前記通路部が取り付けられて当該通路部と連通する内部通路を備えたステムと、を有し、
前記ガイド部材は、
前記スライド動作の移動方向に沿って形成されたガイド部を備え、
前記操作部は、
前記移動方向の異なる位置に形成されて、前記ガイド部に案内保持される第１，第２の被ガイド部と、
前記通路部および前記ステムを前記ロック解除モードの内容物放出状態にシフトさせる駆動部と、を備え、
前記通路部は、
前記駆動部によって駆動される被駆動部を備え、
前記ガイド部および前記第１，第２の被ガイド部は、
前記ロックモードのとき、前記ガイド部に前記第１，第２の被ガイド部がそれぞれ案内保持され、
前記ロックモードから前記スライド動作後のロック解除モードのとき、前記ガイド部と前記第２の被ガイド部とのそれまでの案内保持状態が解消され、前記操作部の全体が前記内容物放出操作に基づいて前記第１の被ガイド部を中心に回動する、
態様で形成されている、
ことを特徴とする内容物放出操作ロック機構。
【請求項２】
前記ガイド部は、
前記第１の被ガイド部に対応した第１のガイド部および前記第２の被ガイド部に対応した第２のガイド部からなっている、
ことを特徴とする請求項１記載の内容物放出操作ロック機構。
【請求項３】
前記ガイド部は、
直線状の開口部であり、
前記第１の被ガイド部は、
前記開口部に案内保持される円柱状部である、
ことを特徴とする請求項１または２記載の内容物放出操作ロック機構。
【請求項４】
前記第１のガイド部は、
前記ロック解除モードにおける前記円柱状部が位置する端部分に、当該円柱状部の回動中心としての動作を確実にするための円弧状部を備えている、
ことを特徴とする請求項３記載の内容物放出操作ロック機構。
【請求項５】
前記操作部は、
ヒンジ結合して前記スライド動作に連動するシャッター部を備え、
前記シャッター部は、
前記ロックモードのときに前記放出口を外部空間域からシャットオフし、かつ、前記ロック解除モードのときに当該シャットオフの状態を解除する態様で設定されている、
ことを特徴とする請求項１乃至４のいずれかに記載の内容物放出操作ロック機構。
【請求項６】
前記シャッター部は、
前記ヒンジ結合を介して前記シャットオフの状態とその解除状態との間で変化するための第３の被ガイド部を備え、
前記ガイド部材は、
前記第３の被ガイド部を案内保持する第３のガイド部を備えている、
ことを特徴とする請求項５記載の内容物放出操作ロック機構。
【請求項７】
請求項１乃至６のいずれかに記載の内容物放出操作ロック機構を備え、かつ、容器本体に噴射用ガスおよび内容物を収容した、
ことを特徴とするエアゾール式製品。
【請求項８】
請求項１乃至６のいずれかに記載の内容物放出操作ロック機構を備え、かつ、容器本体に内容物を収容した、
ことを特徴とするポンプ式製品
【発明の詳細な説明】
【技術分野】
【０００１】
本発明は、押下げ回動タイプの内容物放出用操作部のスライド動作により、内容物放出操作が阻止されるロックモードと、この阻止状態を解除して内容物放出操作が可能なロック解除モードとを選択できるようにした内容物放出操作ロック機構に関する。エアゾール式製品やポンプ式製品を対象とする。【０００２】
特に、操作部のスライド動作を案内するカバーキャップにガイド部（第１、第２のガイド部）を形成して、操作部には当該ガイド部に対応する第１，第２の被ガイド部を形成した内容物放出操作ロック機構に関する。【０００３】
ロックモードではガイド部に第１、第２の被ガイド部がともに案内保持され、そこからスライド動作した後のロック解除モードではガイド部と第２の被ガイド部とのそれまでの案内保持状態が解消され、操作部はその第１の被ガイド部を中心にして回動する。【０００４】
また、ロック解除モードにおける内容物放出操作のとき、操作部の全体、すなわちそのスライド動作の際におけるカバーキャップへの被ガイド部を含めた全体が、変形せずに、元の操作部形状のまま回動するようにしている。【０００５】
また、操作部の天板状部などとヒンジ結合してロックモードのときに内容物放出口を外部空間域からシャットオフするシャッター部を設け、当該操作部のスライド操作で当該シャッター部を移動させて放出口のシャットオフ状態が解除されるようにしている。【０００６】
本明細書では、必要に応じて、ステムなどの弁部材が閉じて内容物が外部空間域に放出されない状態を静止モードといい、操作部の押下げ操作により弁部材が開いて、内容物が外部空間域に放出される内容物噴射状態を作動モードという。【０００７】
また、「ヒンジ結合」の語を、第１の構成要素が第２の構成要素に対し回動可能に一体化している結合態様を示す意で用いる。【０００８】
また、「開口部」の語を、片側からその裏側へと通じる形のいわば貫通部，孔部のみならず、「貫通していない凹状部」を含む意で用いる。【０００９】
また、外部空間域への内容物の放出口側を「前」、それとは反対の側を「後」とそれぞれ記す。図１〜図４および図７〜図９の左側が「前」で右側が「後」となる。【００１０】
また、水平面内における前後方向と略直交する方向、例えば図４(a)，(b)における上下方向を「左右」，「横」と記す。
【背景技術】
【００１１】
従来、エアゾール式製品において、内容物放出用操作部のスライド動作により、内容物放出操作阻止のロックモードと、内容物放出操作可のロック解除モードとを選択的に設定する内容物放出操作ロック機構が提案されている（特許文献１参照）。【００１２】
この内容物放出操作ロック機構の場合、概略、回動なしの上下動タイプの操作部を前提とし、当該操作部がノズル部（放出通路部）にガイドされながら前後方向へ移動することによりロックモードとロック解除モードとが選択的に設定されている。【００１３】
内容物放出操作阻止のロックモードのときは、操作部に形成されたロック片がハウジング（カバーキャップ）の上面に略当接した状態に設定される。【００１４】
そのため、利用者がロックモードの操作部を押し下げようとしても、その一部のロック片がハウジング上面にあたった状態に保持されたまま、当該操作部は下動できない。すなわち操作部の下方向への内容物放出操作が阻止される。
【先行技術文献】
【特許文献】
【００１５】
【特許文献１】特開２０１２−１４０１３５号公報
【発明の概要】
【発明が解決しようとする課題】
【００１６】
このように従来の、操作部のスライド動作に基づいて、内容物放出操作阻止のロックモードと、内容物放出操作可のロック解除モードとを選択的に設定する内容物放出操作ロック機構の場合、回動なしの上下動タイプの操作部を前提としている。【００１７】
本発明は、押下げ回動タイプの内容物放出用操作部のスライド動作に基づいてロックモードとロック解除モードとを選択するようにしたものである。【００１８】
特に、内容物放出用操作部の例えば前後方向へのスライド操作をその移動方向におけるカバーキャップの前後複数個所でガイドし、ロック解除モードにおいては例えば後側のガイドが解除され、前側の被ガイド部を中心に操作部全体が回動するようにしている。【００１９】
また、ロックモードのときは内容物放出口を外部空間域からシャットオフし、ロック解除モードのときは内容物放出口を外部空間域に露出させるシャッター部を、内容物放出用操作部に形成している。【００２０】
本発明は、このような内容物放出操作ロック機構の採用により、
(11)押下げ回動タイプの内容物放出用操作部を用いる場合の不用意な内容物放出操作を確実に阻止し、かつ、当該操作部のロックモード・ロック解除モード選択用のスライド操作および内容物放出用の押下げ操作それぞれの安定化，十全化を図り、
(12)さらには、内容物操作部のロックモードにおける内容物放出口側のデザイン性向上化を図る、
ことを目的とする。
【課題を解決するための手段】
【００２１】
本発明は、以上の課題を次のようにして解決する。
（１）押下げ回動タイプで内容物放出用の操作部（例えば後述の操作部１，１１）のスライド動作により、内容物放出操作が阻止されるロックモードと、この阻止状態を解除して内容物放出操作が可能なロック解除モードとを選択できるようにした内容物放出操作ロック機構において、
前記操作部のスライド動作を案内するガイド部材（例えば後述のカバーキャップ２，１２の筒状起立部２ａ，１２ａ）と、
前記内容物放出操作により内容物が外部空間域へ流出する放出口（例えば後述の放出口３ａ）を備えた通路部（例えば後述の放出通路部３）と、
前記内容物放出操作に基づく弁作用を呈し、かつ、前記通路部が取り付けられて当該通路部と連通する内部通路を備えたステム（例えば後述のステム４）と、を有し、
前記ガイド部材は、
前記スライド動作の移動方向に沿って形成されたガイド部（例えば後述の直線状前開口部２ｋ，直線状後開口部２ｎ，水平直線状前開口部１２ｄ，水平直線状後開口部１２ｈ）を備え、
前記操作部は、
前記移動方向の異なる位置に形成されて、前記ガイド部に案内保持される第１，第２の被ガイド部（例えば後述の円柱状凸部１ｇ，後側円柱状凸部１１ｆ，角柱状凸部１ｊ，１１ｈ）と、
前記通路部および前記ステムを前記ロック解除モードの内容物放出状態にシフトさせる駆動部（例えば後述の内側後垂下部１ｆ，内側垂下部１１ｄ）と、を備え、
前記通路部は、
前記駆動部によって駆動される被駆動部（例えば後述の被駆動凹状部３ｄ）を備え、
前記ガイド部および前記第１，第２の被ガイド部は、
前記ロックモードのとき、前記ガイド部に前記第１，第２の被ガイド部がそれぞれ案内保持され、
前記ロックモードから前記スライド動作後のロック解除モードのとき、前記ガイド部と前記第２の被ガイド部とのそれまでの案内保持状態が解消され、前記操作部の全体が前記内容物放出操作に基づいて前記第１の被ガイド部を中心に回動する、
ように形成された、
構成態様のものを用いる。
（２）上記（１）において、
前記ガイド部は、
前記第１の被ガイド部に対応した第１のガイド部（例えば後述の直線状前開口部２ｋ，水平直線状前開口部１２ｄ）および前記第２の被ガイド部に対応した第２のガイド部（例えば後述の直線状後開口部２ｎ，水平直線状後開口部１２ｈ）からなる、
構成態様のものを用いる。
（３）上記（１），（２）において、
前記ガイド部は、
直線状の開口部（例えば後述の直線状前開口部２ｋ，直線状後開口部２ｎ，水平直線状前開口部１２ｄ，水平直線状後開口部１２ｈ）であり、
前記第１の被ガイド部は、
前記開口部に案内保持される円柱状部（例えば後述の円柱状凸部１ｇ，後側円柱状凸部１１ｆ）である、
構成態様のものを用いる。
（４）上記（３）において、
前記第１のガイド部は、
前記ロック解除モードにおける前記円柱状部が位置する端部分に、当該円柱状部の回動中心としての動作を確実にするための円弧状部（例えば後述の円弧状部２ｍ，１２ｇ）を備えた、
構成態様のものを用いる。
（５）上記（１），（２），（３），（４）において、
前記操作部は、
ヒンジ結合して前記スライド動作に連動するシャッター部（例えば後述のシャッター部１１ｂ）を備え、
前記シャッター部は、
前記ロックモードのときに前記放出口を外部空間域からシャットオフし、かつ、前記ロック解除モードのときに当該シャットオフの状態を解除する態様で設定された、
構成態様のものを用いる。
（６）上記（５）において、
前記シャッター部は、
前記ヒンジ結合を介して前記シャットオフの状態とその解除状態との間で変化するための第３の被ガイド部（例えば後述の前側円柱状凸部１１ｎ）を備え、
前記ガイド部材は、
前記第３の被ガイド部を案内保持する第３のガイド部（例えば後述の傾斜直線状開口部１２ｅ）を備えた、
構成態様のものを用いる。【００２２】
このような構成からなる内容物放出操作ロック機構、ならびにこの内容物放出操作ロック機構からなるエアゾール式製品およびポンプ式製品を本発明の対象としている。
【発明の効果】
【００２３】
本発明は、以上の構成をとることにより、押下げ回動タイプの内容物放出用操作部における、
(21)不用意な内容物放出操作を確実に阻止し、かつ、ロックモード・ロック解除モード選択用のスライド操作および内容物放出用の押下げ操作それぞれの安定化，十全化を図り、
(22)ロックモードの内容物放出口側のデザイン性向上化を図る、
ことができる。
【図面の簡単な説明】
【００２４】
【図１】放出口に対するシャッター部なしの押下げ回動タイプの操作部が図示左側の前方に位置する、内容物放出操作ロック機構の初期状態としてのロックモード（内容物放出操作阻止状態）を示す説明図である。
【図２】図１の操作部を図示右側の後方へシフトさせたロック解除モード（内容物放出操作可能な静止モード）を示す説明図である。
【図３】図２のロック解除モードの操作部を押下げ操作した内容物噴射状態の作動モードを示す説明図である。
【図４】図１のロックモードに対応した、(a)操作部１と、(b)カバーキャップ２および放出通路部３とを個々に示す平面図である。
【図５】図１〜図３のカバーキャップ２および放出通路部３を示す斜視図である。
【図６】図１〜図３の操作部１とカバーキャップ２との組合せ対応関係を示す説明図である。
【図７】放出口に対するシャッター部ありの押下げ回動タイプの操作部が図示左側の前方に位置する、内容物放出操作ロック機構の初期状態としてのロックモード（内容物放出操作阻止状態）を示す説明図である。
【図８】図７の操作部を図示右側の後方へシフトさせたロック解除モード（内容物放出操作可能な静止モード）を示す説明図である。
【図９】図８のロック解除モードの操作部を押下げ操作した内容物噴射状態の作動モードを示す説明図である。
【発明を実施するための形態】
【００２５】
図１乃至図９を用いて本発明を実施するための形態を説明する。
【００２６】
図１〜図６は、ロックモードのときに内容物放出口が外部空間域に露出するノンシャットオフ態様の内容物放出操作ロック機構を示している。
【００２７】
図７〜図９は、ロックモードのときに内容物放出口が外部空間域に露出しないシャットオフ態様の内容物放出操作ロック機構を示している。
【００２８】
上述したように、本発明の内容物放出操作ロック機構はエアゾール式製品およびポンプ式製品の双方に適用できる。ただ以下の実施形態では、単なる説明の便宜上、エアゾール式製品の場合を前提とする。
【００２９】
なお、以下のアルファベット付き参照番号の構成要素（例えば天板状部１ａ）は原則として、当該参照番号の数字部分の構成要素（例えば操作部１）の一部であることを示している。
【００３０】
図１〜図６の、ロックモードのときに内容物放出口が外部空間域に露出する内容物放出操作ロック機構において、
１は内容物放出作動用の押下げ回動タイプであって、内容物の放出操作が阻止されるロックモード位置とこの阻止状態が解除される静止モード位置（＝ロック解除モード位置）との間で略水平方向にスライドする操作部，
１ａは浅い平坦窪み状の天面を備えた天板状部，
１ｂは後述の放出通路部３の放出口３ａに対応する態様で、当該操作部の前曲面垂下部の正面側に形成された、内容物噴射用の下向き切欠状部分，
１ｃは天板状部１ａの左右端側にそれぞれ垂下平板態様で、上方からみて後広がりの略ハの字状に形成された、一対の前後方向の外側垂下部，
１ｄは外側垂下部１ｃそれぞれの前側内面を連結する左右方向への垂下平板態様で天板状部１ａから連続形成された内側前垂下部，
１ｅは内側前垂下部１ｄの一部であって、当該操作部の作動モード設定操作（回動操作）のときに後述の放出通路部３との干渉を避けるための半円状の下向き切欠状部，
１ｆは天板状部１ａの後端側前後方向に逆台形状の垂下平板態様で形成されて、当該操作部の作動モード設定操作のときに後述の被駆動凹状部３ｄにいわば入り込み、これの底面部分を下方に押圧駆動する作動モード設定用の内側後垂下部（駆動部），
１ｇは外側垂下部１ｃそれぞれの前下端側に外方突出態様で形成されて、当該操作部のスライド作動時には後述のカバーキャップ２に対する被ガイド部として作用し、かつ、内容物放出操作時にはその回動中心として作用する一対の円柱状凸部（第１の被ガイド部），
１ｈは円柱状凸部１ｇの端面下部に、下側ほど外側垂下部１ｃに近づく内向き傾斜態様で形成されて、当該操作部を後述のカバーキャップ２に取り付ける際の被案内作用を呈する上下方向前斜面，
１ｊは外側垂下部１ｃそれぞれの後下端側に外方突出態様で形成されて、当該操作部のスライド作動時には円柱状凸部１ｇと同様に後述の直線状後開口部２ｎに対する被ガイド部として作用し、かつ、内容物放出操作およびその解除の際にはいわば自由移動部として作用する一対の角柱状凸部（第２の被ガイド部），
１ｋは角柱状凸部１ｊの前部分であって外方への突出程度が大きく、少なくとも上述の被ガイド部および自由移動部として作用する前側角柱状凸部，
１ｍは下側ほど後方へと位置する傾斜態様で前側角柱状凸部１ｋの前面下部に形成されて、図３の内容物噴射操作が解除された状態（ステム４および放出通路部３は初期位置に復帰し、内側後垂下部１ｆが被駆動凹状部３ｄの底面部分にまだ当接した状態）における、当該操作部の前方向へのスライド操作により、当該前側角柱状凸部が、当該カバーキャップの上段幅狭部２ｇの後端部分にいわば乗り上げて直線状後開口部２ｎへと進む際の被案内作用を呈する前後・上下方向のテーパ面，
１ｎは前側角柱状凸部１ｋの横側面下部に、下側ほど外側垂下部１ｃに近づく傾斜態様で形成されて、当該操作部を後述のカバーキャップ２に取り付ける際の被案内作用を呈する上下方向後斜面，
１ｐは角柱状凸部１ｊの後部分であって外方への突出程度が前側角柱状凸部１ｋよりも小さい後側角柱状凸部，
１ｑは後側角柱状凸部１ｐそれぞれの横側面全体に、「ハの字状」ではなく、図４(a)に示すように前後方向の平行態様で形成されて、図２のロック解除モードのとき後述の平板基部２ｄとの当接保持作用により、当該操作部の水平面内でのいわゆるガタツキを阻止する前後・垂直方向の一対の平行面，
をそれぞれ示している。
【００３１】
また、
２は後述の容器本体５のアンダーカット５ａに常時嵌合し、押下げ回動タイプの操作部１が取り付けられる筒状のカバーキャップ，
２ａは当該カバーキャップの筒状起立部（ガイド部材），
２ｂは筒状起立部２ａの下端側内周面に形成されて後述のアンダーカット５ａと係合する周方向凸状部，
２ｃは筒状起立部２ａの前上側部分に形成された内容物噴射用の上向き切欠状部，
２ｄは筒状起立部２ａの内部左右それぞれの前後方向に、上からみたときの平面態様が後広がりの略「ハ」の字状になる形で設定されて、操作部１の、ロックモード位置とロック解除モード位置との間のスライド動作の案内作用などを呈する一対の平板基部，
２ｅは平板基部２ｄの内面の上下中間部分に形成された前後方向直線状の上段幅広部，
２ｆは上段幅広部２ｅの上面中央部分に形成されて、ロックモード位置の操作部１がスライド操作によりロック解除モード位置へ後退する際の初期段階、およびその逆でロックモード位置へ前進する際の最終段階におけるクリック感生成用の前側曲面凸状部，
２ｇは上段幅広部２ｅからその後方に延びる前後方向直線状の上段幅狭部，
２ｈは上段幅狭部２ｇの上面後端部分に形成されて、図３の内容物噴射状態の解除後に操作部１が前方向にスライド操作されて図１のロックモードに復帰するとき、その初期段階でテーパ面１ｍが上段幅狭部２ｇにいわば乗り上げた当該操作部の少上動状態を保持して、その後の、外側垂下部１ｃの底面部分の当該上段幅狭部へのシフト動作の確実化を図るための後側曲面凸状部，
２ｊは上段幅狭部２ｇの後方に続く前後方向直線状の下段部，
２ｋは平板基部２ｄの、上段幅広部２ｅの直上隣接部分に形成されて、操作部１の円柱状凸部１ｇを案内する略水平方向の直線状前開口部（第１のガイド部），
２ｍは直線状前開口部２ｋの後端側に形成されて、操作部１の回動操作時にその中心である円柱状凸部１ｇのスムーズな回動を確保するための円弧状部，
２ｎは平板基部２ｄの、上段幅狭部２ｇの直上隣接部分に形成されて、操作部１の角柱状凸部１ｊを案内する略水平方向の直線状後開口部（第２のガイド部），
２ｐは直線状後開口部２ｎの直後に連続し、かつ、下段部２ｊの直上隣接部分まで広がる態様で形成された方形状開口部，
２ｑは平板基部２ｄの上端部分から左右横方向に延びる態様で形成されて、当該カバーキャップに操作部１を取り付けることにより、その天面の左右両側にこれといわば面一状態に設定される一対の天面片部，
２ｒは天面片部２ｑの、円弧状部２ｍの真上に相当する部分から下方向に形成されて、当該カバーキャップにその上方から操作部１をいわば入れ込む際に、当該操作部の円柱状凸部１ｇを初期案内するための上下方向の斜面付き凹状部，
をそれぞれ示している。
【００３２】
また、
３はカバーキャップ２と一体成形された逆Ｌ字状部分からなり、筒状起立部２ａの前端側内周面部分から後方に延びる内容物通過・放出用の放出通路部（通路部），
３ａは当該放出通路部の内容物流出部としての放出口，
３ｂは当該放出通路部の内容物流入側として後述のステム４に取り付けられる嵌合部，
３ｃは当該放出通路部の内部空間域からなる内容物通路，
３ｄは当該放出通路部（逆Ｌ字状部分）の流入側起立部の後側面部分に、前後方向の凹状部態様で形成されて、操作部１の押下げ操作により、その内側後垂下部１ｆから下方への押圧駆動力を底面部分に受ける内容物放出作動用の被駆動凹状部（被駆動部），
３ｅはカバーキャップ２の筒状起立部２ａの前端側内周面部分と一体成形された、縦断面がＬ字状で変位可能な連結部，
をそれぞれ示している。
【００３３】
また、
４はコイルスプリング（図示省略）の弾性力により上方向に付勢され、周知のバルブ作用および噴射通路作用を呈するステム，
５は後述の内容物および噴射用ガスを収容したエアゾール式製品の周知の容器本体，
５ａはそれぞれ当該容器本体の上端部分に設定される周知のアンダーカット，
をそれぞれ示している。
【００３４】
ここで、操作部１，カバーキャップ２および放出通路部３は例えばポリプロピレン，ポリエチレン，ポリアセタール，ナイロン，ポリブチレンテレフタレートなどからなるプラスチック製のものである。ステム４および容器本体５は例えばプラスチック製，金属製のものである。
【００３５】
操作部１の全体、およびカバーキャップ２と放出通路部３との全体はそれぞれ一体成形品である。
【００３６】
例えば操作部１の外側垂下部１ｃ，円柱状凸部１ｇ，角柱状凸部１ｊや、カバーキャップ２の筒状起立部２ａおよび放出通路部３の連結部３ｅなどは、弾性変形可能な部分である。
【００３７】
図１〜図６の、ノンシャットオフ態様の内容物放出操作ロック機構の基本的特徴は、
(31)図１のロックモードのとき、
・操作部１の円柱状凸部１ｇが、カバーキャップ２の上段幅広部２ｅに載った状態で直線状前開口部２ｋの前端部分に保持され、
・操作部１の角柱状凸部１ｊ（前側角柱状凸部１ｋ＋後側角柱状凸部１ｐ）が、カバーキャップ２の上段幅狭部２ｇに載った状態で直線状後開口部２ｎに保持され、
(32)図２のロック解除モード、すなわち図１の位置の操作部１を右側後方へスライドさせたとき、
・操作部１の円柱状凸部１ｇが、カバーキャップ２の上段幅広部２ｅに載った状態で直線状前開口部２ｋの後端部分の円弧状部２ｍに保持され、
・操作部１の角柱状凸部１ｊ（前側角柱状凸部１ｋ＋後側角柱状凸部１ｐ）が、カバーキャップ２の上段幅狭部２ｇから外れてその後方にシフトし、すなわち角柱状凸部１ｊと上段幅狭部２ｇおよび直線状後開口部２ｎとの上下方向の係合状態が解除され、
・後側角柱状凸部１ｐの平行面１ｑの一部が筒状起立部２ａの内面側に略当接して、操作部１が水平面内で微回動しないように設定され、
(33)図３の内容物噴射状態、すなわち図２の操作部１の天板状部１ａを押下げ操作した作動モードのとき、
・操作部１が、特段の変形を生じることなしに、カバーキャップ２の円弧状部２ｍに保持された円柱状凸部１ｇを中心に図示時計方向に回動し、
・この回動にともない、操作部１の内側後垂下部１ｆの下端面が放出通路部３の被駆動凹状部３ｄの底面部分を押し下げ、
・この押下げにともない、放出通路部３、およびこれの嵌合部３ｂに取り付けられたステム４が図示時計方向に傾動しながら下方に連動する、
ことなどである。
【００３８】
ここで、作動モードの放出通路部３はカバーキャップ２との連結部３ｅが変位することにより傾動している。
【００３９】
また、ステム４の、周知のコイルスプリングの上方向への弾性力に抗しながらの下方への移動により、周知の弁作用部がこれまでの閉状態から開状態にシフトする。
【００４０】
この弁作用部の開状態シフトにより、容器本体５の内容物が、概略「容器本体５−開状態の弁作用部−ステム４の内部通路−内容物通路３ｃ」を経て放出口３ａから外部空間域に噴射される。
【００４１】
なお、図１のロックモードから図２のロック解除モードへと操作部１が後方へとスライド操作されるとき、その初期段階で、当該操作部の円柱状凸部１ｇがカバーキャップ２の前側曲面凸状部２ｆを乗り越える。この乗り越えの際に利用者はクリック感を得る。
【００４２】
また、直線状前開口部２ｋの、ロック解除モードへの後方スライド操作の最終段階で円柱状凸部１ｇが円弧状部２ｍに入り込む直前の部分は、その上下方向にいわば絞り込まれている。そのため、利用者は、円柱状凸部１ｇがこの絞り込み部分を通過する際、すなわちロックモード解除のスライド操作の終りに相当するクリック感も得ることができる。
【００４３】
図２のロック解除モードにおける円柱状凸部１ｇは、上述の絞り込み部分の直後に形成された円弧状部２ｍに回動可能な形で保持されている。すなわち、円柱状凸部１ｇは上述したように操作部１の回動中心としてスムーズに作用しえる。
【００４４】
図３の内容物噴射状態は、利用者が操作部１の内容物放出操作を止めること、すなわち当該操作部の図示時計方向への押下げ操作を解除することにより停止する。
【００４５】
利用者がこの押下げ操作を止めると、ステム４およびこれと一体の放出通路部３が周知のコイルスプリングの弾性力により上方向へと駆動される。
【００４６】
この放出通路部３およびステム４の上方向への移動にともない、カバーキャップ２との連結部３ｅが初期状態に復帰して、当該放出通路部は図２のロック解除モードの位置にシフトする。
【００４７】
ただ、このシフト後も操作部１の内側後垂下部１ｆは、放出通路部３の被駆動凹状部３ｄの底面部分に当接したままである。すなわち、操作部１の角柱状凸部１ｊは、図２よりも、この内側後垂下部１ｆの当接状態までの上下方向分だけ下方に位置している。
【００４８】
上述の押下げ操作解除後の図１のロックモードへの復帰に際し、角柱状凸部１ｊが被駆動凹状部３ｄに当接した下方位置から図示左側の前方向にスライド操作されるとき、
操作部１は、
(41)先ず、円柱状凸部１ｇが、円弧状部２ｍの直前の絞り込み部分を通過し、かつ、前側角柱状凸部１ｋが、そのテーパ面１ｍの被ガイド作用でカバーキャップ２の上段幅狭部２ｇの後端部分に乗り上げる、すなわち円柱状凸部１ｇを中心に少しだけ図示反時計方向に回動し、
(42)その後、円柱状凸部１ｇは、カバーキャップ２の上段幅広部２ｅおよび直線状前開口部２ｋに案内され、かつ、前側角柱状凸部１ｋなどの底面部分が後側曲面凸状部２ｈで少しだけいわばリフトアップされた状態となり、
(43)さらに、円柱状凸部１ｇは、前側曲面凸状部２ｆを乗り越えて直線状前開口部２ｋの前端部分まで移動し、かつ、角柱状凸部１ｊは、全体が直線状後開口部２ｎの中に入り込むとともにその前側角柱状凸部１ｋが上段幅狭部２ｇに当接した状態へと移動する。
【００４９】
このロックモードへの復帰スライド操作の際、利用者は、操作初期段階の円柱状凸部１ｇが円弧状部２ｍの直前の絞り込み部分を通過するとき、および操作最終段階の円柱状凸部１ｇが前側曲面凸状部２ｆを乗り越えるときに、それぞれクリック感を得る。
【００５０】
操作部１をカバーキャップ２に組み込むには、
(51)当該操作部を当該カバーキャップの真上に図２の前後方向位置関係でセットし、
(52)次に、当該操作部を当該カバーキャップに対して下方にはめ込んでいったんロック解除モード位置に設定し、
(53)次に、当該操作部を前方向にスライドさせて図１のロックモード位置に設定すればよい。
【００５１】
図７〜図９の、ロックモードのときに内容物放出口が外部空間域に露出しない内容物放出操作ロック機構において、
１１は押下げ回動タイプであって、内容物の放出操作が阻止されるロックモード位置とこの阻止状態が解除される静止モード位置（＝ロック解除モード位置）との間で略水平方向にスライドする操作部，
１１ａは天板状部，
１１ｂは天板状部１１ａとヒンジ結合することにより、図７のロック状態のときは放出通路部３の放出口３ａと対向する折れ態様で当該放出口をシャットオフ状態に設定し、かつ、図８のロック解除静止状態のときは天板状部１１ａと同様の水平態様に変位して当該放出口を外部空間域への開放状態（ノンシャットオフ状態）に設定するシャッター部，
１１ｃは天板状部１１ａとシャッター部１１ｂとの間のヒンジ結合を担保している薄肉状部，
１１ｄは天板状部１１ａの後端側前後方向に逆台形状の垂下平板態様で形成されて、当該操作部の作動モード設定操作のときに被駆動凹状部３ｄにいわば入り込み、これの底面部分を下方に押圧駆動する作動モード設定用の内側垂下部（駆動部），
１１ｅは天板状部１１ａの左右端側にそれぞれ平行な垂下平板態様で形成された一対の前後方向の外側垂下部，
１１ｆは外側垂下部１１ｅそれぞれの前側に外方突出態様で形成されて、当該操作部のスライド作動時には後述のカバーキャップ１２に対する被ガイド部として作用し、かつ、内容物放出操作時にはその回動中心として作用する一対の後側円柱状凸部（第１の被ガイド部），
１１ｇは図６の上下方向前斜面１ｈと同じように、後側円柱状凸部１１ｆの端面下部に下側内寄りの傾斜態様で形成されて、当該操作部をカバーキャップ１２に取り付ける際の被案内作用を呈する上下方向前斜面，
１１ｈは外側垂下部１１ｅそれぞれの後側に外方突出態様で形成されて、当該操作部のスライド作動時には後側円柱状凸部１１ｆと同じく被ガイド部として作用し、かつ、内容物放出操作およびその解除の際にはいわば自由移動部として作用する一対の角柱状凸部（第２の被ガイド部），
１１ｊは図６のテーパ面１ｍと同じように、角柱状凸部１１ｈの前面下部に形成されて、図９の内容物噴射操作が解除された状態（ステム４および放出通路部３は初期位置に復帰し、内側垂下部１１ｄが被駆動凹状部３ｄの底面部分にまだ当接した状態）における、当該操作部の前方向へのスライド操作により、当該角柱状凸部が、当該カバーキャップの水平直線状後開口部１２ｈの後下端部分に案内される前後・上下方向のテーパ面，
１１ｋは図６の上下方向後斜面１ｎと同じように、角柱状凸部１１ｈの横側面下部に下側内寄りの傾斜態様で形成されて、当該操作部をカバーキャップ２に取り付ける際の被案内作用を呈する上下方向後斜面，
１１ｍはシャッター部１１ｂの左右端側にそれぞれ下内向き態様で形成された一対の平板状部，
１１ｎは平板状部１１ｍそれぞれに外方突出態様で形成されて、当該操作部のスライド作動時および内容物放出操作時に後述のカバーキャップ１２（水平直線状前開口部１２ｄ＋傾斜直線状開口部１２ｅ）への被ガイド部として作用する一対の前側円柱状凸部（第３の被ガイド部），
１１ｐは図８のロック解除モードの位置における前側円柱状凸部１１ｎの端面下部に、上下方向前斜面１１ｇと同じように下側内寄りの傾斜態様で形成されて、当該操作部をカバーキャップ１２に取り付ける際の被案内作用を呈する上下方向最前斜面， 
をそれぞれ示している。
【００５２】
また、
１２は容器本体５のアンダーカット５ａに常時嵌合して、押下げ回動タイプの操作部１１が取り付けられる筒状のカバーキャップ，
１２ａは当該カバーキャップの筒状起立部（ガイド部材），
１２ｂは筒状起立部１２ａの下端側内周面に形成されてアンダーカット５ａと係合する周方向凸状部，
１２ｃは筒状起立部１２ａの内部左右の各前後方向に設定されて、操作部１１の、ロックモード位置とロック解除モード位置との間のスライド動作の案内作用などを呈する一対の平板基部，
１２ｄは平板基部１２ｃそれぞれの前上側に形成されて、操作部１１の後側円柱状凸部１１ｆを案内する一対の水平直線状前開口部（第１のガイド部），
１２ｅは水平直線状前開口部１２ｄの前端から前方への下り傾斜の連続態様で形成されて、操作部１１の前側円柱状凸部１１ｎを案内する一対の傾斜直線状開口部（第３のガイド部），
１２ｆは水平直線状前開口部１２ｄの後端側に形成されて、ロックモード位置の操作部１１がスライド操作によりロック解除モード位置へ後退する際の最終段階、およびその逆でロックモード位置へ前進する際の初期段階におけるクリック感生成用の曲面凸状部，
１２ｇは水平直線状前開口部１２ｄの後端部分に曲面凸状部１２ｆからの連続態様で形成されて、操作部１１の回動操作時にその中心となる後側円柱状凸部１１ｆのスムーズな回動を確保するための円弧状部，
１２ｈは平板基部１２ｃの、水平直線状前開口部１２ｄの後方に形成されて、操作部１１の角柱状凸部１１ｈを案内する水平直線状後開口部（第２のガイド部），
１２ｊは水平直線状後開口部１２ｈの直後方に連続形成された方形状開口部，
をそれぞれ示している。
【００５３】
ここで、操作部１１およびカバーキャップ１２は例えばポリプロピレン，ポリエチレン，ポリアセタール，ナイロン，ポリブチレンテレフタレートなどからなるプラスチック製の一体成形品である。
【００５４】
なお、図７〜図９においては、図１〜図６で示した放出通路部３，ステム４および容器本体５ならびにそれぞれの枝番の参照番号を援用する。上述の放出通路部３における筒状起立部２ａは「筒状起立部１２ａ」と読み替える。
【００５５】
操作部１１の全体、およびカバーキャップ１２と放出通路部３との全体はそれぞれ一体成形品である。
【００５６】
図７〜図９の内容物噴射用の放出口３ａをシャットオフするタイプの内容物放出操作ロック機構の、当該放出口をシャットオフしないタイプの図１〜図６の機構との基本的相違点は、
(61)操作部１１のシャッター部１１ｂが、天板状部１１ａに、薄肉状部１１ｃを介して回動可能な態様で連結成形され、
(62)天板状部１１ａの後側円柱状凸部１１ｆがカバーキャップ１２の水平直線状前開口部１２ｄに案内されるのに加えて、シャッター部１１ｂの前側円柱状凸部１１ｎが当該カバーキャップの傾斜直線状開口部１２ｅおよび当該水平直線状前開口部に案内され、
(63)操作部１１の前後方向へのスライド操作により、天板状部１１ａが図１〜図６の場合と同じ前後方向に移動することに加えて、シャッター部１１ｂが、図７のロックモードの前方下り傾斜状態（放出口３ａの非露出状態）と図８のロック解除モードの水平状態（放出口３ａの露出状態）との間で変位し、
(64)ロック解除モードの操作部１１を押下げ操作した図９の内容物噴射状態の場合、天板状部１１ａが図１〜図６の場合と同じようにその後側円柱状凸部１１ｆを中心にして図示時計方向に回動することに加えて、シャッター部１１ｂが、その前側円柱状凸部１１ｎとカバーキャップ１２の水平直線状前開口部１２ｄとの案内作用により前方下り緩傾斜状態に変位する、
ことなどである。
【００５７】
ここでロックモード（図７）と作動モード（図９：内容物噴射状態）との間の操作部１１の動作自体は、シャッター部１１ｂのそれを捨象する限り、図１〜図６の操作部１の動作と同様である。
【００５８】
すなわち、
(71)図７のロックモード位置では、操作部１１の後側円柱状凸部１１ｆがカバーキャップ１２の水平直線状前開口部１２ｄのいわば前端側部分に保持され、かつ、角柱状凸部１１ｈが水平直線状後開口部１２ｈの前端部分に保持され、
(72)ロックモード位置の天板状部１１ａを後方へスライドさせることにより、後側円柱状凸部１１ｆが、水平直線状前開口部１２ｄに案内されながら後端の円弧状部１２ｇまで移動してそこで保持され、かつ、角柱状凸部１１ｈが水平直線状後開口部１２ｈから外れてその直後方の方形状開口部１２ｊに移動し（図８のロック解除モード）、
(73)ロック解除モードの天板状部１１ａを押下げ操作することにより、その内側垂下部１１ｄが放出通路部３の被駆動凹状部３ｄの底面部分を押圧して、当該放出通路部およびこれと一体のステム４を下動させ、内容物噴射状態へと移行する。
【００５９】
なお、図８のロック解除モードに移行した操作部１１の後側円柱状凸部１１ｆは、曲面凸状部１２ｆと円弧状部１２ｇとにより安定的に保持されており、その後の内容物放出操作の際にスムーズな回動中心として作用する。
【００６０】
利用者が天板状部１１ａの押下げ操作を止めると、上述したようにステム４，放出通路部３および操作部１１が周知のコイルスプリング（図示省略）の弾性力により上方向に移動する。移動後の操作部１１の内側垂下部１１ｄは被駆動凹状部３ｄの底面部分に当接したままである。
【００６１】
この操作部１１を前方向にスライド操作することにより、当該操作部は先ず、角柱状凸部１１ｈのテーパ面１１ｊが水平直線状後開口部１２ｈの後下端部分に案内され、かつ、後側円柱状凸部１１ｆが水平直線状前開口部１２ｄの曲面凸状部１２ｆを乗り越える。
【００６２】
その後、操作部１１は、角柱状凸部１１ｈと水平直線状後開口部１２ｈとのガイド作用、および後側円柱状凸部１１ｆと水平直線状前開口部１２ｄとのガイド作用により、図７のロックモード位置へとスライドする。
【００６３】
操作部１１をカバーキャップ２に組み込むには、
(81)当該操作部を当該カバーキャップの真上に図８の前後方向位置関係でセットし、
(82)次に、当該操作部を当該カバーキャップに対して下方にはめ込んでいったんロック解除モード位置に設定し、
(83)次に、当該操作部を前方向にスライドさせて図７のロックモード位置に設定すればよい。
【００６４】
本発明の内容物放出操作ロック機構が図示の実施形態に限定されるものでないことは勿論であり、例えば、
(91)内容物放出操作ロック機構の構成要素間の凹状部（開口部を含む）とそれに対応した凸状部との形状関係を凹凸逆にする、
(92)直線状前開口部２ｋと直線状後開口部２ｎとを連続した単一開口部で形成する、
(93)水平直線状前開口部１２ｄと水平直線状後開口部１２ｎとを連続した単一開口部で形成する、
(94)図１〜図６の内容物放出操作ロック機構の後側角柱状凸部１ｐや前側曲面凸状部２ｆなどを省略する、
(95)図７〜図９の内容物放出操作ロック機構に後側角柱状凸部１ｐや前側曲面凸状部２ｆなども形成する、
(96)操作部１，１１のスライド動作を図示の前後方向以外の方向にておこなう、
(97)角柱状凸部１ｊ，１１ｈに代えて円筒状部を用いる、
ようにしてもよい。
【００６５】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６６】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００７０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７１】
高分子化合物としては、ヒドロキシエチルセルロース，メチルセルロース，ゼラチン，デンプン，カゼイン，キサンタンガム，カルボキシビニルポリマーなどを用いる。
【００７２】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００７３】
さらに、上記内容物以外の、懸濁剤，紫外線吸収剤，乳化剤，保湿剤，酸化防止剤、金属イオン封鎖剤なども用いることができる。
【００７４】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７５】
（図１〜図６で使用）
１：放出口ノンシャットオフタイプの操作部
１ａ：天板状部
１ｂ：下向き切欠状部分
１ｃ：前後方向の外側垂下部
１ｄ：内側前垂下部
１ｅ：半円状の下向き切欠状部
１ｆ：内側後垂下部
１ｇ：円柱状凸部
１ｈ：上下方向前斜面
１ｊ：角柱状凸部
１ｋ：前側角柱状凸部
１ｍ：テーパ面
１ｎ：上下方向後斜面
１ｐ：後側角柱状凸部
１ｑ：平行面【００７６】
（図１〜図６で使用）
２：カバーキャップ
２ａ：筒状起立部
２ｂ：周方向凸状部
２ｃ：上向き切欠状部
２ｄ：平板基部
２ｅ：上段幅広部
２ｆ：前側曲面凸状部
２ｇ：上段幅狭部
２ｈ：後側曲面凸状部
２ｊ：下段部
２ｋ：直線状前開口部
２ｍ：円弧状部
２ｎ：直線状後開口部
２ｐ：方形状開口部
２ｑ：天面片部
２ｒ：斜面付き凹状部【００７７】
（図１〜図９で使用）
３：放出通路部
３ａ：放出口
３ｂ：嵌合部
３ｃ：内容物通路
３ｄ：被駆動凹状部
３ｅ：連結部
４：ステム
５：容器本体
５ａ：アンダーカット【００７８】
（図７〜図９で使用）
１１：放出口シャットオフタイプの操作部
１１ａ：天板状部
１１ｂ：シャッター部
１１ｃ：薄肉状部
１１ｄ：内側垂下部
１１ｅ：外側垂下部
１１ｆ：後側円柱状凸部
１１ｇ：上下方向前斜面
１１ｈ：角柱状凸部
１１ｊ：テーパ面
１１ｋ：上下方向後斜面
１１ｍ：平板状部
１１ｎ：前側円柱状凸部
１１ｐ：上下方向最前斜面 【００７９】
（図７〜図９で使用）
１２：カバーキャップ
１２ａ：筒状起立部
１２ｂ：周方向凸状部
１２ｃ：平板基部
１２ｄ：水平直線状前開口部
１２ｅ：傾斜直線状開口部
１２ｆ：曲面凸状部
１２ｇ：円弧状部
１２ｈ：水平直線状後開口部
１２ｊ：方形状開口部
【図１】
2015122229.tif 000003
【図２】
2015122229.tif 000004
【図３】
2015122229.tif 000005
【図４】
2015122229.tif 000006
【図５】
2015122229.tif 000007
【図６】
2015122229.tif 000008
【図７】
2015122229.tif 000009
【図８】
2015122229.tif 000010
【図９】
2015122229.tif 000011
【国際調査報告】
2015122229.tif 000012
2015122229.tif 000013